(57)【要約】【課題】部品点数、螺子数を減らし安価な加熱蒸散器を提供する。【解決手段】本加熱蒸散器は外郭を兼ねかつ天井部に蒸散口、底部に開口が設けられた筒状の外ピースと、この外ピースに開口から挿入されて収納され、かつ発熱体を取り付ける発熱体取付け部が設けられ、液体容器を保持する容器保持部が設けられた内ピースとを備える。【選択図】  図６
2011045545.tif 000002
【特許請求の範囲】
【請求項１】
容器内部の薬液を吸い上げる吸液芯を備えた液体容器が蒸散器下部に設置され、蒸散器内部に設けられた発熱体によって前記吸液芯が加熱される加熱蒸散器において、
外郭を兼ねかつ天井部に蒸散口、底部に開口が設けられた筒状の外ピースと、
この外ピースに前記開口から挿入されて収納され、かつ前記発熱体を取り付ける発熱体取付け部が設けられ、前記液体容器を保持する容器保持部が設けられた内ピースとを備えることを特徴とする加熱蒸散器。
【請求項２】
前記外ピースおよび内ピースは各々合成樹脂製で一体成形され、
この内ピースには、前記容器保持部が一体に成形されることを特徴とする請求項１に記載の加熱蒸散器。
【請求項３】
前記容器保持部の外面を前記外ピースの内面の一部に接触させることを特徴とする請求項１または２に記載の加熱蒸散器。
【請求項４】
前記容器保持部の外面は下広がり勾配をなし、前記外ピースの内面は前記外面の勾配よりも小さな勾配をなすことを特徴とする請求項３に記載の加熱蒸散器。
【請求項５】
前記外ピースには螺子が螺合する螺子孔が設けられ、かつ、前記発熱体を取り付けるヒータ取付部材には螺子が貫通する取付孔が設けられ、前記内ピースには螺子が貫通する螺子貫通孔が設けられ、
前記螺子貫通孔、前記取付孔を貫通し、前記螺子孔に螺合する螺子によって、
前記内ピースおよび前記発熱体は、前記外ピース内に一体的に取り付けられていることを特徴とする請求項１ないし４のいずれか１項に記載の加熱蒸散器。
【請求項６】
前記容器保持部の下部と前記外ピースの内面間に間隙を設け、前記下部が弾性変形可能にしたことを特徴とする請求項１ないし５のいずれか１項に記載の加熱蒸散器。
【請求項７】
前記容器保持部に対向する前記内ピースの内面に凹部およびこの凹部の下端に突起を設けることを特徴とする請求項１ないし６のいずれか１項に記載の加熱蒸散器。
【請求項８】
前記容器保持部の上部に開口が設けられ、この開口と前記外ピースの内面間に給気口が設けられることを特徴とする請求項１ないし７のいずれか１項に記載の加熱蒸散器。
【発明の詳細な説明】
【技術分野】
【０００１】
本発明は加熱蒸散器に係り、特に組み立てが容易になるように構造を改良した加熱蒸散器に関する。
【背景技術】
【０００２】
従来、部屋の消臭や芳香等に適した薬液等を気化、蒸散させる加熱蒸散器が広く用いられている。
【０００３】
この種の加熱蒸散器は、内部の薬液を吸い上げる吸液芯を備えた液体容器を蒸散器本体の下部に設置し、蒸散器本体内部に設けられたヒータ等の発熱体によって、この吸液芯を加熱することで、薬液の気化、蒸散を促し、蒸散器本体の上方に設けられた蒸散口から外部へ拡散する構造となっている。
【０００４】
従来の加熱蒸散器は、構成部品や締結用ネジの数が多く、組み立ての工程が複雑になるという問題があった。
【０００５】
そこで、加熱蒸散器を螺子受けボスを備えた本体前ケースと、発熱体を固定支持するとともに螺子受けボスが挿入される貫通孔を備えた取付部材と、貫通孔に挿入された螺子受けボスを螺子で締結するためのボス受け部を備えた本体後ケースとで構成した提案がなされている（例えば、特許文献１参照）。
【０００６】
しかしながら、特許文献１に記載の加熱蒸散器は、蒸散器本体が、本体前ケースと本体後ケースとに２分割された構成とし、発熱体が螺着された取付部材とともに、水平方向の螺子によって、本体前ケースと本体後ケースを一体化する構造であり、部品点数、螺子数も多く、高価であり改良の余地がある。
【先行技術文献】
【特許文献】
【０００７】
【特許文献１】特開２００２−２００１５３号公報
【発明の概要】
【発明が解決しようとする課題】
【０００８】
本発明は上述した事情を考慮してなされたもので、部品点数、螺子数を減らし安価な加熱蒸散器を提供することを目的とする。
【課題を解決するための手段】
【０００９】
上述した目的を達成するため、本発明に係る加熱蒸散器は、容器内部の薬液を吸い上げる吸液芯を備えた液体容器が蒸散器下部に設置され、蒸散器内部に設けられた発熱体によって前記吸液芯が加熱される加熱蒸散器において、外郭を兼ねかつ天井部に蒸散口、底部に開口が設けられた筒状の外ピースと、この外ピースに前記開口から挿入されて収納され、かつ前記発熱体を取り付ける発熱体取付け部が設けられ、前記液体容器を保持する容器保持部が設けられた内ピースとを備えることを特徴とする。
【発明の効果】
【００１０】
本発明に係る加熱蒸散器によれば、部品点数、螺子数を減らし安価な加熱蒸散器を提供することができる。
【図面の簡単な説明】
【００１１】
【図１】本発明に係る加熱蒸散器の一実施形態の使用状態を示す斜視図。
【図２】本発明に係る加熱蒸散器の一実施形態の使用状態を示す上面図。
【図３】本発明に係る加熱蒸散器の一実施形態の使用状態を示す側面図。
【図４】本発明に係る加熱蒸散器の一実施形態の使用状態を示す底面図。
【図５】本発明に係る加熱蒸散器の一実施形態の分解斜視図。
【図６】本発明に係る加熱蒸散器の一実施形態の使用状態の側面を示す縦断面図。
【図７】図６のＡ部を拡大して示す断面図。
【図８】本発明に係る加熱蒸散器の一実施形態の内部を点線で示す使用状態の正面図。
【図９】本発明に係る加熱蒸散器の一実施形態の底面図。
【発明を実施するための形態】
【００１２】
本発明係る加熱蒸散器の一実施形態について図面を参照して説明する。
【００１３】
図１〜図５に示すように、本実施形態の加熱蒸散器１は、外ピース２と、この外ピース２に収納される内ピース３と、この内ピース３に取り付けられて外ピース２に収納される発熱体４と、この発熱体４に給電するプラグ５とを備える。
【００１４】
外ピース２は、合成樹脂製で外郭を兼ね、天井部に蒸散口２ａおよび底部に底部開口２ｂを有する細長筒状で、断面が略長方形状をなす。
【００１５】
外ピース２の正面下部には、外ピース２の一部をなす舌状部６が設けられ、この舌状部６に対向する外ピース２の外面には、外方に略扁平長方体状に突出するプラグ収納蓋部７が設けられる。さらに、プラグ収納蓋部７の上面下端には、プラグ押さえ溝７ａが設けられる。
【００１６】
さらに、外ピース２の両側面下部には、舌状部６を形成するように、切欠部８、８が設けられる。
【００１７】
また、外ピース２の内部には、上部（天井部）から下方に延びる一対の取付部９、９（図８）が設けられ、この取付部９、９の下端面には、螺子孔９ａ、９ａ（図８）が設けられる。
【００１８】
上記形状を有する外ピース２は、一体成形での製造が可能である。特に、容器保持部と発熱体取り付け部をスライド型を用いることなく、簡素な金型で一体に製造することも可能である。
【００１９】
内ピース３は、図中矢印で示す通気路を設けるように、底部開口２ｂから挿入されて、外ピース２に収納されている。
【００２０】
この内ピース３の上部には、液体容器Ｖの頭部ｖａ（図８）が収納される、天井部が平らな扁平ドーム状の内ピース主部１１が設けられる。
【００２１】
この内ピース主部１１の天井部には液芯挿入孔１２が設けられ、また、内ピース主部１１の外面には、中心から偏移した位置に中空円柱状の発熱体取付け部１３、１３が立設され、この発熱体取付け部１３、１３には螺子が貫通する螺子貫通孔１３ａが設けられ、さらに、発熱体取付け部１３、１３の先端には、半円状の取付舌片１３ｂ、１３ｂが設けられる。
【００２２】
一方、内ピース３の下部には、プラグ収納部１４が設けられ、このプラグ収納部１４には、プラグ５、このプラグ５に接続されるコネクタ１５、発熱体４に連なるリード線１６が収納される。また、プラグ収納部１４にはその底部１４ａから固定突起（図示せず）が立設され、固定突起はプラグ５に設けた固定孔５ａに挿入され、プラグ５は固定される。
【００２３】
さらに、プラグ収納部１４の裏面の内ピース３の内面には、凹部１７（図６）およびこの凹部１７の下端に突起１８（図６）が設けられる。
【００２４】
また、プラグ収納部１４および凹部１７に対向する内ピース３には、液体容器を保持する容器保持部１９が、下方に延びて設けられる。
【００２５】
この容器保持部１９は、例えば垂直に伸びる直線部１９ａ、１９ａとこの直線部１９ａ、１９ａに連なる弧部１９ｂからなる略Ｕ字形状をなし、液体容器の一面（正面）に設けられた楕円形状の保持突起に係合し、下端の弧部１９ｂで支持するようになっている。なお、弧部１９ｂは周方向内側にカーブしている。
【００２６】
容器保持部１９が略Ｕ字形状であるので、内ピース３を一体成形時、型扱いが容易になる。
【００２７】
図５および図７に示すように、直線部１９ａ、１９ａは、外表面が垂直に対して前方に向かって傾斜する勾配を有しており、すなわち内表面（裏面）は垂直であり、下方に向かって漸次肉厚になっている。これに対して、外ピース２（舌状部６）の内表面は垂直であり、外ピース２の内表面は、直線部１９ａ、１９ａの外表面の勾配よりも小さな勾配をなす。
【００２８】
また、弧部１９ｂは直線部１９ａ、１９ａに比べて肉薄であり、弧部１９ｂの裏面は直線部１９ａ、１９ａの裏面と同一面であり、弧部１９ｂの表面は直線部１９ａ、１９ａの肉厚の中間部に位置し、従って、直線部１９ａ、１９ａが舌状部６に密接した状態では、この舌状部６と弧部１９ｂ間には間隙Ｇが形成され、弧部１９ｂが弾力変形可能になる。
【００２９】
さらに、図６および図７に示すように、容器保持部１９の上部に開口すなわち略Ｕ字形状の開口１９ｃが形成され、内ピース３が外ピース２に収納された状態で、この開口１９ｃと外ピース２の内面間に給気口２０が形成される。
【００３０】
上記形状を有する内ピース３は、一体成形での製造が可能である。
【００３１】
また、図５および図６に示すように、発熱体４は合成樹脂製の発熱体取付け部材２１で囲われ、この発熱体取付け部材２１には、略中央部に金属リングで形成される液芯挿入孔２１ａが設けられ、両側に延びる取付片２１ｂ、２１ｂには螺子が貫通する取付孔２１ｃ、２１ｃが設けられる。
【００３２】
なお、図９中符号２２は給気口である。
【００３３】
次に、本実施形態の加熱蒸散器の組立について説明する。
【００３４】
図５に示すように、分離状態にある発熱体４に、図６に示すリード線１６、コネクタ１５を介してプラグ５に接続し、さらに、発熱体取付け部材２１に設けた取付孔２１ｃ、２１ｃに発熱体取付け部１３、１３の先端に設けた取付舌片１３ｂ、１３ｂを挿入して、発熱体４を内ピース３に仮取付けする。
【００３５】
しかる後、図３および図６に示すように、発熱体４と内ピース３を外ピース２に収容すると同時に、プラグ５をプラグ収納部１４の底部１４ａとプラグ押さえ溝７ａで挟んで固定し、プラグ刃部を残してプラグ収納蓋部７でプラグ５を覆う。
【００３６】
さらに、図８および図９に示すように、２本の螺子Ｓを発熱体取付け部１３、１３に設けた螺子貫通孔１３ａ、発熱体取付け部材２１に設けた取付孔２１ｃ、２１ｃに挿入し、外ピース２の取付部９、９に設けた螺子孔９ａ、９ａに螺合する。
【００３７】
これにより、本加熱蒸散器１は、ワンピースで成形された外ピース２、内ピース３および発熱体４は、２本の螺子Ｓで組立てることができ、部品点数、螺子数を減らし安価に製造できる。
【００３８】
さらに、内ピース３が外ピース２に収容され、組立てられた状態で、外ピース２（舌状部６）の内面は、直線部１９ａ、１９ａの外面の勾配よりも小さな勾配をなすので、直線部１９ａ、１９ａは舌状部６に強く押付けられ、直線部１９ａ、１９ａの剛性は増し、直線部１９ａ、１９ａの外方への変形は抑制される。
【００３９】
また、上記のように、舌状部６と弧部１９ｂ間には間隙Ｇが形成され、弧部１９ｂが弾力変形可能になり、液体容器Ｖの着脱が容易になる。
【００４０】
また、本実施形態の加熱蒸散器の使用方法について説明する。
【００４１】
使用者は、薬液が入った液体容器Ｖの蓋を外し、図６および図８に示すように、加熱蒸散器１に取付ける。
【００４２】
液体容器Ｖは合成樹脂製であり、ブロー成形されるため、成形型の簡素化のために、液体容器Ｖの一面（正面）にのみ保持突起ｖｂを設けることが多い。
【００４３】
そこで、保持突起ｖｂが設けられた面を正面にして、液体容器Ｖを内ピース３の底部開口２ｂすなわち内ピース３内面の凹部１７と容器保持部１９間に挿入する。
【００４４】
このとき、舌状部６と弧部１９ｂ間には間隙Ｇが形成されているので、弧部１９ｂの弾力変形により、液体容器Ｖの保持突起ｖｂは、この容器保持部１９は略Ｕ字形状の容器保持部１９に容易に係合し、液体容器Ｖの反保持突起側は、内ピース３の内面の凹部１７の立ち上がった周壁に当接し、保持突起ｖｂは弧部１９ｂによって保持される。
【００４５】
このように、保持突起ｖｂが正面になるように液体容器Ｖを加熱蒸散器１に取付けて使用するが、使用者が間違って液体容器Ｖの反保持突起側を正面に、保持突起側を裏面にして、液体容器Ｖを内ピース３に挿入しても、内ピース３の内面の凹部１７に保持突起ｖｂが収納され、突起１８が保持突起ｖｂの下部を支持するので、液体容器Ｖが落下することがなく、溶液がこぼれることがない。
【００４６】
液体容器Ｖが加熱蒸散器１に取り付けられた状態で、吸液芯Ｐは液芯挿入孔１２および発熱体４に囲われる液芯挿入孔２１ａを貫通し、外ピース２の上部に達し、吸液芯Ｐの先端が蒸散口２ａに対向する。
【００４７】
液体容器Ｖの加熱蒸散器１への取り付けが完了したら、プラグ５をコンセントに差し込んで、発熱体４に通電する。
【００４８】
発熱体４によって吸液芯Ｐが加熱され、吸液芯Ｐに吸い上げられた薬液は蒸発し、蒸散口２ａから外部に蒸散される。
【００４９】
この薬液の蒸散過程において、図６および図７に示すように、開口１９ｃと外ピース２の内面間に給気口２０が形成されているので、外ピース２内への給気を確実に行える。
【００５０】
本実施形態の加熱蒸散器によれば、部品点数、螺子数を減らし安価な加熱蒸散器が実現される。
【符号の説明】
【００５１】
１  加熱蒸散器
２  外ピース
２ａ  蒸散口
２ｂ  底部開口
３  内ピース
４  発熱体
５  プラグ
５ａ  固定孔
６  舌状部
７  プラグ収納蓋部
７ａ  プラグ押さえ溝
８、８  切欠部
９、９  取付部
９ａ、９ａ  螺子孔
１１  内ピース主部
１２  液芯挿入孔
１３、１３  発熱体取付け部
１３ａ、１３ａ  螺子貫通孔
１３ｂ、１３ｂ  取付舌片
１４  プラグ収納部
１４ａ  底部
１５  コネクタ
１６  リード線
１７  凹部
１８  突起
１９  容器保持部
１９ａ、１９ａ  直線部
１９ｂ  弧部
１９ｃ  開口
２０  給気口
２１  発熱体取付け部材
２１ａ  液芯挿入孔
２１ｂ、２１ｂ  取付片
２１ｃ、２１ｃ  取付孔
２２  給気口
【図１】
2011045545.tif 000003
【図２】
2011045545.tif 000004
【図３】
2011045545.tif 000005
【図４】
2011045545.tif 000006
【図５】
2011045545.tif 000007
【図６】
2011045545.tif 000008
【図７】
2011045545.tif 000009
【図８】
2011045545.tif 000010
【図９】
2011045545.tif 000011